(57)【要約】【課題】色変換プロファイルの作成に要する時間の増加を抑制するとともに、得られる色変換プロファイルの精度の低下を抑制する。【解決手段】高速測色器を用いて得られる高速ベースデータＤＨは、測色用画像を構成するすべてのパッチ画像Ｐの測色結果を含み、高速ベースデータＤＨのうち、パッチ画像Ｐの輝度が閾値以上となったものが第１高速ベースデータＤＨ１となり、パッチ画像Ｐの輝度が閾値未満となったものが第２高速ベースデータＤＨ２となる。低速測色器を用いて得られる低速ベースデータＤＬは、高速ベースデータＤＨのうちパッチ画像Ｐの輝度が閾値未満となったパッチ画像Ｐの測色結果を含む。そして、合成ベースデータＤＣは、高速ベースデータＤＨのうちパッチ画像Ｐの輝度が閾値以上となった第１高速ベースデータＤＨ１と、低速ベースデータＤＬとを含む。【選択図】図６
2015088847.tif 000002
【特許請求の範囲】
【請求項１】
表示装置の表示画面に表示された画像を測色する第１測色器の特性と第２測色器の特性とを比較した結果に基づき、当該第１測色器で測色する第１画像の内容と当該第２測色器で測色する第２画像の内容とを決定する決定手段と、
前記表示装置が前記表示画面に表示した前記第１画像を前記第１測色器で測色して得た第１測色結果と、当該表示装置が当該表示画面に表示した前記第２画像を前記第２測色器で測色して得た第２測色結果とを合成して合成測色結果を作成する合成手段と、
前記合成測色結果に基づいて前記表示装置に対応させた色変換プロファイルを作成する作成手段と
を含む画像処理装置。
【請求項２】
前記第１測色器は前記第２測色器よりも測定速度が速く、当該第２測色器は当該第１測色器よりも測定精度が高いことを特徴とする請求項１記載の画像処理装置。
【請求項３】
前記決定手段は、前記表示装置が前記表示画面に表示した前記第１画像および前記第２画像を含む測色用画像を前記第１測色器で測色した結果に基づいて、当該第１画像の内容および当該第２画像の内容を決定することを特徴とする請求項１または２記載の画像処理装置。
【請求項４】
前記決定手段は、前記表示装置が前記表示画面に表示した低階調画像および高階調画像を前記第１測色器および前記第２測色器で測色した結果に基づいて、前記第１画像の内容および前記第２画像の内容を決定することを特徴とする請求項１または２記載の画像処理装置。
【請求項５】
前記決定手段は、前記第１測色器および前記第２測色器の入出力特性に基づいて、前記第１画像の内容および前記第２画像の内容を決定することを特徴とする請求項１または２記載の画像処理装置。
【請求項６】
コンピュータに、
表示装置の表示画面に表示された画像を測色する第１測色器の特性と第２測色器の特性とを比較した結果に基づき、当該第１測色器で測色する第１画像の内容と当該第２測色器で測色する第２画像の内容とを決定する機能と、
前記表示装置が前記表示画面に表示した前記第１画像を前記第１測色器で測色して得た第１測色結果と、当該表示装置が当該表示画面に表示した前記第２画像を前記第２測色器で測色して得た第２測色結果とを合成して合成測色結果を作成する機能と、
前記合成測色結果に基づいて前記表示装置に対応させた色変換プロファイルを作成する機能と
を実現させるプログラム。
【発明の詳細な説明】
【技術分野】
【０００１】
本発明は、画像処理装置およびプログラムに関する。
【背景技術】
【０００２】
公報記載の従来技術として、カラーモニタのカラーマッチングを行う際に、カラーモニタに表示された画像の色等を測定する測定器の種類（接触型、非接触型等）に応じて、カラーマッチングにおいて目標とする輝度を変更するものが存在する（特許文献１参照）。
【先行技術文献】
【特許文献】
【０００３】
【特許文献１】特開２００５−２５０２６５号公報
【発明の概要】
【発明が解決しようとする課題】
【０００４】
本発明は、色変換プロファイルの作成に要する時間の増加を抑制するとともに、得られる色変換プロファイルの精度の低下を抑制することを目的とする。
【課題を解決するための手段】
【０００５】
請求項１記載の発明は、表示装置の表示画面に表示された画像を測色する第１測色器の特性と第２測色器の特性とを比較した結果に基づき、当該第１測色器で測色する第１画像の内容と当該第２測色器で測色する第２画像の内容とを決定する決定手段と、前記表示装置が前記表示画面に表示した前記第１画像を前記第１測色器で測色して得た第１測色結果と、当該表示装置が当該表示画面に表示した前記第２画像を前記第２測色器で測色して得た第２測色結果とを合成して合成測色結果を作成する合成手段と、前記合成測色結果に基づいて前記表示装置に対応させた色変換プロファイルを作成する作成手段とを含む画像処理装置である。
請求項２記載の発明は、前記第１測色器は前記第２測色器よりも測定速度が速く、当該第２測色器は当該第１測色器よりも測定精度が高いことを特徴とする請求項１記載の画像処理装置である。
請求項３記載の発明は、前記決定手段は、前記表示装置が前記表示画面に表示した前記第１画像および前記第２画像を含む測色用画像を前記第１測色器で測色した結果に基づいて、当該第１画像の内容および当該第２画像の内容を決定することを特徴とする請求項１または２記載の画像処理装置である。
請求項４記載の発明は、前記決定手段は、前記表示装置が前記表示画面に表示した低階調画像および高階調画像を前記第１測色器および前記第２測色器で測色した結果に基づいて、前記第１画像の内容および前記第２画像の内容を決定することを特徴とする請求項１または２記載の画像処理装置である。
請求項５記載の発明は、前記決定手段は、前記第１測色器および前記第２測色器の入出力特性に基づいて、前記第１画像の内容および前記第２画像の内容を決定することを特徴とする請求項１または２記載の画像処理装置である。
請求項６記載の発明は、コンピュータに、表示装置の表示画面に表示された画像を測色する第１測色器の特性と第２測色器の特性とを比較した結果に基づき、当該第１測色器で測色する第１画像の内容と当該第２測色器で測色する第２画像の内容とを決定する機能と、前記表示装置が前記表示画面に表示した前記第１画像を前記第１測色器で測色して得た第１測色結果と、当該表示装置が当該表示画面に表示した前記第２画像を前記第２測色器で測色して得た第２測色結果とを合成して合成測色結果を作成する機能と、前記合成測色結果に基づいて前記表示装置に対応させた色変換プロファイルを作成する機能とを実現させるプログラムである。
【発明の効果】
【０００６】
請求項１記載の発明によれば、本構成を有していない場合と比較して、色変換プロファイルの作成に要する時間の増加を抑制するとともに、得られる色変換プロファイルの精度の低下を抑制することができる。
請求項２記載の発明によれば、本構成を有していない場合と比較して、色変換プロファイルの作成に要する時間の増加をさらに抑制するとともに、得られる色変換プロファイルの精度の低下をさらに抑制することができる。
請求項３記載の発明によれば、本構成を有していない場合と比較して、測色を簡易に行うことができる。
請求項４記載の発明によれば、本構成を有していない場合と比較して、測色に使用する画像の数を低減することができる。
請求項５記載の発明によれば、本構成を有していない場合と比較して、測色に使用する画像の数を低減することができる。
請求項６記載の発明によれば、本構成を有していない場合と比較して、色変換プロファイルの作成に要する時間の増加を抑制するとともに、得られる色変換プロファイルの精度の低下を抑制することができる。
【図面の簡単な説明】
【０００７】
【図１】本発明の実施の形態が適用される画像表示システムの構成の一例を示した図である。
【図２】コンピュータ装置のハードウェア構成を示した図である。
【図３】実施の形態１で用いた高速測色器および低速測色器の測定性能を示した図である。
【図４】実施の形態１で用いた高速測色器および低速測色器の測定精度の関係を説明するための図である。
【図５】実施の形態１における色変換プロファイルの作成手順を説明するためのフローチャートである。
【図６】実施の形態１における高速ベースデータと低速ベースデータと合成ベースデータとの関係を、模式的に示した図である。
【図７】実施の形態２で用いた高速測色器および低速測色器の測定性能を示した図である。
【図８】実施の形態２で用いた高速測色器および低速測色器の測定精度の関係を説明するための図である。
【図９】実施の形態２における色変換プロファイルの作成手順を説明するためのフローチャートである。
【図１０】実施の形態２における高速ベースデータと低速ベースデータと合成ベースデータとの関係を、模式的に示した図である。
【図１１】実施の形態３における色変換プロファイルの作成手順を説明するためのフローチャートである。
【図１２】実施の形態３における高速ベースデータと低速ベースデータと合成ベースデータとの関係を、模式的に示した図である
【図１３】実施の形態４における色変換プロファイルの作成手順を説明するためのフローチャートである。
【図１４】（ａ）〜（ｃ）は、実施の形態４で用いた高速測色器および低速測色器の階調特性の関係を説明するための図である。
【図１５】実施の形態４における閾値の概念を説明するための図である。
【図１６】実施の形態４における高速ベースデータと低速ベースデータと合成ベースデータとの関係を、模式的に示した図である。
【図１７】実施の形態５における色変換プロファイルの作成手順を説明するためのフローチャートである。
【図１８】実施の形態５で用いた高速測色器および低速測色器のＬ＊ａ＊ｂ＊特性の関係を説明するための図である。
【図１９】実施の形態５における高速ベースデータと低速ベースデータと合成ベースデータとの関係を、模式的に示した図である。
【発明を実施するための形態】
【０００８】
以下、添付図面を参照して、本発明の実施の形態について詳細に説明する。
＜実施の形態１＞
図１は、本発明の実施の形態が適用される画像表示システム１０の構成の一例を示した図である。
この画像表示システム１０は、表示のための画像データの作成等を行う、画像処理装置の一例としてのコンピュータ装置２０と、コンピュータ装置２０で作成された画像データに基づく画像を表示画面３１に表示する表示装置３０と、コンピュータ装置２０に対する入力等を受け付ける入力装置４０とを備えている。
【０００９】
この画像表示システム１０において、コンピュータ装置２０および表示装置３０は例えばＤＶＩ（Digital Visual Interface）を介して接続されており、コンピュータ装置２０および入力装置４０は例えばＵＳＢ（Universal Serial Bus）を介して接続されている。なお、コンピュータ装置２０および表示装置３０については、ＤＶＩに代えて、ＨＤＭＩ（High-Definition Multimedia Interface：登録商標）やDisplayPortを介して接続するようにしてもかまわない。
【００１０】
決定手段、合成手段および作成手段の一例としてのコンピュータ装置２０は、所謂汎用のパーソナルコンピュータである。そして、コンピュータ装置２０では、ＯＳ（Operating System）の管理下において各種アプリケーションソフトウェアを動作させることで、画像データの作成等が行われるようになっている。
【００１１】
また、表示装置３０は、例えばＰＣ用の液晶ディスプレイ、液晶テレビあるいはプロジェクタなど、加法混色にて画像を表示する機能を備えたもので構成される。したがって、表示装置３０における表示方式は、液晶方式に限定されるものではない。ここで、本実施の形態では、表示装置３０が、赤（Ｒ）、緑（Ｇ）および青（Ｂ）の３色を用いて画像の表示を行っているものとする。なお、図１では、表示装置３０内に表示画面３１が設けられているが、表示装置３０として例えばプロジェクタを用いる場合、表示画面３１は、表示装置３０の外部に設けられたスクリーン等となる。
【００１２】
さらに、入力装置４０は、例えばキーボード装置やマウス装置等で構成される。
【００１３】
この画像表示システム１０では、例えば入力装置４０およびコンピュータ装置２０を用いて作成した表示用画像データに基づく画像（表示用画像）を、表示装置３０の表示画面３１に表示させるようになっている。ここで、コンピュータ装置２０で動作するアプリケーションソフトウェアを用いて製品のデザイン等を行う場合には、表示装置３０における表示画面３１に、画像を正しい色で表示させることが要求される。このため、この画像表示システム１０では、コンピュータ装置２０で作成した測色用画像データに基づく測色用画像を表示装置３０にて表示画面３１に表示させ、表示画面３１に表示された測色用画像を読み取った結果に基づいて、表示画面３１に表示させる色を補正するための色変換プロファイルを作成するプロファイル作成動作を実行できるようになっている。ここで、色変換プロファイルとしては、例えばＩＣＣ（International Color Consortium）プロファイルが挙げられる。
【００１４】
図１には、上記プロファイル作成動作で用いられ、表示装置３０の表示画面３１に表示された測色用画像の読み取りに用いられる測色器１００を、画像表示システム１０と併せて示している。そして、本実施の形態では、測色器１００として、測定速度が相対的に高速な高速測色器１１０と、測定速度が相対的に低速な低速測色器１２０とを使い分けつつ、プロファイル作成動作を実行するようになっている。
【００１５】
ここで、高速測色器１１０および低速測色器１２０は、それぞれ、赤（Ｒ）、緑（Ｇ）および青（Ｂ）の３色にて画像を読み取るセンサ（図示せず）を備えており、表示画面３１に表示された測色用画像を、所謂フルカラーにて測定することが可能となっている。なお、高速測色器１１０および低速測色器１２０の各々の詳細については後述する。
【００１６】
図２は、コンピュータ装置２０のハードウェア構成を示した図である。
コンピュータ装置２０は、上述したようにパーソナルコンピュータ等により実現される。そして図示するように、コンピュータ装置２０は、演算手段であるＣＰＵ（Central Processing Unit）２１と、記憶手段であるメインメモリ２２およびＨＤＤ（Hard Disk Drive）２３とを備える。ここで、ＣＰＵ２１は、ＯＳ（Operating System）やアプリケーションソフトウェア等の各種プログラムを実行する。また、メインメモリ２２は、各種プログラムやその実行に用いるデータ等を記憶する記憶領域であり、ＨＤＤ２３は、各種プログラムに対する入力データや各種プログラムからの出力データ等を記憶する記憶領域である。さらに、コンピュータ装置２０は、入力装置４０や表示装置３０を含む外部との通信を行うための通信インタフェース（以下、「通信Ｉ／Ｆ」と表記する）２４を備えている。
【００１７】
図３は、本実施の形態で用いた高速測色器１１０および低速測色器１２０の測定性能を示した図である。なお、ここでは、測定性能として、測定速度および測定精度の２つを挙げている。本実施の形態のプロファイル作成動作では、測色用画像として、各々が異なる色の画像で構成される複数のパッチ画像を用いる。
【００１８】
そして、第１測色器の一例としての高速測色器１１０は、低速測色器１２０に比べて、個々のパッチ画像を測色するのに要する時間が短くて済むようになっており、結果として、複数のパッチ画像すべてを測色するのに要する時間が短くて済むようになっている。それゆえ、高速測色器１１０と低速測色器１２０とを比較した場合に、高速測色器１１０は測定速度が「高」となり、低速測色器１２０は測定速度が「低」となる。
【００１９】
一方、第２測色器の一例としての低速測色器１２０は、高速測色器１１０に比べて、個々のパッチ画像を測色して得た測色結果の測定精度が高くなっている。より具体的に説明すると、低速測色器１２０では、測定精度が、低明度から高明度に至る「全明度において高」となるのに対し、高速測色器１１０では、測定精度が「低明度において低」となる。
【００２０】
ここで、測色器１００としては、表示画面３１に接触して配置される接触型と呼ばれるものと、表示画面３１とは非接触に配置される非接触型と呼ばれるものとが存在する。一般的に、接触型は液晶ディスプレイ等の測色を行う際に用いられ、非接触型はプロジェクタ（スクリーン）等の測色、または外光照明込みで液晶ディスプレイ等の測色を行う際に用いられる。ここで、本実施の形態では、高速測色器１１０および低速測色器１２０の両者がともに非接触型で構成されているものとする。ただし、高速測色器１１０および低速測色器１２０の一方が接触型且つ他方が非接触型で構成されていてもかまわないし、高速測色器１１０および低速測色器１２０の両者がともに接触型で構成されていてもかまわない。
【００２１】
図４は、本実施の形態で用いた高速測色器１１０および低速測色器１２０の測定精度の関係を説明するための図である。図４において、横軸は表示画面３１に表示される画像の色値（ＲＧＢ値）であり、縦軸は表示画面３１に表示された画像を高速測色器１１０または低速測色器１２０で読み取って得られる輝度（ｃｄ／ｍ２）である。なお、図４では、高速測色器１１０による結果を破線で、低速測色器１２０による結果を実線で、それぞれ示している。
【００２２】
この例では、輝度が５（ｃｄ／ｍ２）以上となる色値については、高速測色器１１０と低速測色器１２０とで同様の結果を得ることができる。これに対し、輝度が５（ｃｄ／ｍ２）未満となる色値については、高速測色器１１０による誤差が、低速測色器１２０に比べて大きくなっている。このように、本実施の形態では、低速測色器１２０が、暗い色についても測定が可能となっているのに対し、高速測色器１１０は、暗い色についての測定が困難となっている。なお、ここでは、輝度が５（ｃｄ／ｍ２）となるときの色値を（Ｒ，Ｇ，Ｂ）＝（Ｒ１，Ｇ１，Ｂ１）と呼ぶ。
【００２３】
図５は、本実施の形態における色変換プロファイルの作成手順を説明するためのフローチャートである。ここで、本実施の形態においては、色変換プロファイルの作成を開始する前に、表示装置３０の表示画面３１に対し高速測色器１１０がセットされている。
【００２４】
まず、コンピュータ装置２０は、測色用画像を構成するすべてのパッチ画像を、表示装置３０を用いて表示画面３１に順次表示させる。また、高速測色器１１０は、表示画面３１に表示されるすべてのパッチ画像を順次測色することで、これら複数のパッチ画像の測色結果を含むベースデータ（以下では高速ベースデータと呼ぶ）の測定を行う（ステップ１１０）。
【００２５】
次に、コンピュータ装置２０は、ステップ１１０で得られた高速ベースデータを構成する各パッチ画像の輝度を算出し、得られた輝度の値が閾値（この例では５（ｃｄ／ｍ２））未満となるパッチ画像（低輝度パッチと呼ぶ）を抽出する（ステップ１２０）。なお、ステップ１１０が完了した後、次に説明するステップ１３０が開始されるまでの間に、表示装置３０の表示画面３１に対し低速測色器１２０がセットされる。
【００２６】
続いて、コンピュータ装置２０は、ステップ１２０で抽出された低輝度パッチを、表示装置３０を用いて表示画面３１に順次表示させる。また、低速測色器１２０は、表示画面３１に表示される低輝度パッチを順次測色することで、低輝度パッチの測色結果を含むベースデータ（以下では低速ベースデータと呼ぶ）の測定を行う（ステップ１３０）。
【００２７】
それから、コンピュータ装置２０は、ステップ１１０で得られた高速ベースデータのうち、低輝度パッチの測色結果である第２高速ベースデータを除いた第１高速ベースデータと、ステップ１３０で得られた低速ベースデータとを合成した合成ベースデータを作成する（ステップ１４０）。
【００２８】
そして、コンピュータ装置２０は、ステップ１４０で得られた合成ベースデータに基づき、表示装置３０に対応させた色変換プロファイルの作成を行い（ステップ１５０）、一連の処理を完了する。
【００２９】
図６は、本実施の形態における高速ベースデータＤＨと低速ベースデータＤＬと合成ベースデータＤＣとの関係を、模式的に示した図である。ここで、図中上段に示す高速ベースデータＤＨは図５に示すステップ１１０で、図中中段に示す低速ベースデータＤＬは図５に示すステップ１３０で、図中下段に示す合成ベースデータＤＣは図５に示すステップ１４０で、それぞれ得られる。
【００３０】
まず、高速ベースデータＤＨは、測色用画像を構成するすべてのパッチ画像Ｐの測色結果を含んで構成される。そして、高速ベースデータＤＨのうち、パッチ画像Ｐの輝度が閾値以上となったものが第１高速ベースデータＤＨ１となり、パッチ画像Ｐの輝度が閾値未満となったものが第２高速ベースデータＤＨ２となる。ここで、本実施の形態では、第１高速ベースデータＤＨ１に含まれる複数のパッチ画像Ｐが、第１画像を構成することになる。
【００３１】
また、低速ベースデータＤＬは、高速ベースデータＤＨのうちパッチ画像Ｐの輝度が閾値未満となった第２高速ベースデータＤＨ２と内容が同じパッチ画像Ｐ（低輝度パッチ）の測色結果を含んで構成される。したがって、低速ベースデータＤＬは、高輝度側のパッチ画像Ｐの測色結果を含んでいない。ここで、本実施の形態では、低速ベースデータＤＬに含まれる複数のパッチ画像Ｐが、第２画像を構成することになる。
【００３２】
そして、合成ベースデータＤＣは、高速ベースデータＤＨのうちパッチ画像Ｐの輝度が閾値以上となった第１高速ベースデータＤＨ１と、低速ベースデータＤＬとを含んで構成される。したがって、合成ベースデータＤＣは、測色用画像を構成するすべてのパッチ画像Ｐの測色結果を含んでいることになる。ここで、本実施の形態では、第１高速ベースデータＤＨ１が第１測色結果に、低速ベースデータＤＬが第２測色結果に、合成ベースデータＤＣが合成測色結果に、それぞれ対応することとなる。
【００３３】
以上説明したように、本実施の形態では、測定速度が相対的に高速な高速測色器１１０と、測定精度が相対的に高精度な低速測色器１２０とを用いて、表示装置３０に表示される測色用画像を測定するようにした。これにより、例えば高速測色器１１０のみを用いて測色を行う場合と比較して測定精度を向上させることが可能になるとともに、例えば低速測色器１２０のみを用いて測色を行う場合と比較して測色にかかる時間を低減することが可能になる。その結果、得られた合成ベースデータに基づいて作成される色変換プロファイルの精度の低下を抑制することができる。
【００３４】
また、本実施の形態では、最初に、高速測色器１１０を用いて測色用画像を測定した後、測色用画像のうち、輝度が低すぎることにより精度が低下しそうなパッチ画像については、低速測色器１２０を用いて再測定を行うようにした。これにより、得られる合成ベースデータの精度を高めることが可能となり、結果として、得られる色変換プロファイルの精度を向上させることができるようになる。
【００３５】
＜実施の形態２＞
本実施の形態は、実施の形態１とほぼ同様であるが、高速測色器１１０の測定精度が実施の形態１とは異なり、その結果、合成ベースデータＤＣの作成手法が実施の形態１とは異なる。なお、本実施の形態において、実施の形態１と同様のものについては、同じ符号を付してその詳細な説明を省略する。
【００３６】
図７は、本実施の形態で用いた高速測色器１１０および低速測色器１２０の測定性能を示した図である。なお、ここでは、実施の形態１と同じく、測定性能として、測定速度および測定精度の２つを挙げている。
【００３７】
本実施の形態では、高速測色器１１０の測定速度は「高」であり、低速測色器１２０の測定速度は「低」である。
一方、本実施の形態では、低速測色器１２０の測定精度は、「全明度において高」となるのに対し、高速測色器１１０では、測定精度が「低明度において低」であるのに加え、「高明度において低」となっている。
【００３８】
図８は、本実施の形態で用いた高速測色器１１０および低速測色器１２０の測定精度の関係を説明するための図である。図８において、横軸は表示画面３１に表示される画像の色値（ＲＧＢ値）であり、縦軸は表示画面３１に表示された画像を高速測色器１１０または低速測色器１２０で読み取って得られる輝度（ｃｄ／ｍ２）である。なお、図８では、高速測色器１１０による結果を破線で、低速測色器１２０による結果を実線で、それぞれ示している。
【００３９】
この例では、輝度が５（ｃｄ／ｍ２）以上且つ１００（ｃｄ／ｍ２）未満となる色値については、高速測色器１１０と低速測色器１２０とで同様の結果を得ることができる。これに対し、輝度が５（ｃｄ／ｍ２）未満となる色値および輝度が１００（ｃｄ／ｍ２）以上となる色値については、高速測色器１１０による誤差が、低速測色器１２０に比べて大きくなっている。このように、本実施の形態では、低速測色器１２０が、暗い色および明るい色についても測定が可能となっているのに対し、高速測色器１１０は、暗い色および明るい色についての測定が困難となっている。なお、ここでは、輝度が５（ｃｄ／ｍ２）となるときの色値を（Ｒ，Ｇ，Ｂ）＝（Ｒ１，Ｇ１，Ｂ１）と呼び、輝度が１００（ｃｄ／ｍ２）となるときの色値を（Ｒ，Ｇ，Ｂ）＝（Ｒ２，Ｇ２，Ｂ２）と呼ぶ。
【００４０】
図９は、本実施の形態における色変換プロファイルの作成手順を説明するためのフローチャートである。ここで、本実施の形態においても、色変換プロファイルの作成を開始する前に、表示装置３０の表示画面３１に対し高速測色器１１０がセットされている。
【００４１】
まず、コンピュータ装置２０は、測色用画像を構成するすべてのパッチ画像を、表示装置３０を用いて表示画面３１に順次表示させる。また、高速測色器１１０は、表示画面３１に表示されるすべてのパッチ画像を順次測色することで、これら複数のパッチ画像の測色結果を含む高速ベースデータの測定を行う（ステップ２１０）。
【００４２】
次に、コンピュータ装置２０は、ステップ２１０で得られた高速ベースデータを構成する各パッチ画像の輝度を算出し、得られた輝度の値が下方側の閾値（この例では５（ｃｄ／ｍ２））未満となる低輝度パッチを抽出し（ステップ２２０）、且つ、得られた輝度の値が上方側の閾値（この例では１００（ｃｄ／ｍ２））以上となるパッチ画像（高輝度パッチと呼ぶ）を抽出する（ステップ２３０）。なお、ステップ２１０が完了した後、次に説明するステップ２４０が開始されるまでの間に、表示装置３０の表示画面３１に対し低速測色器１２０がセットされる。
【００４３】
続いて、コンピュータ装置２０は、ステップ２２０で抽出された低輝度パッチを、表示装置３０を用いて表示画面３１に順次表示させる。また、低速測色器１２０は、表示画面３１に表示される低輝度パッチを順次測色することで、低輝度パッチの測色結果を含む低速ベースデータ（以下では第１低速ベースデータと呼ぶ）の測定を行う（ステップ２４０）。
【００４４】
次いで、コンピュータ装置２０は、ステップ２３０で抽出された高輝度パッチを、表示装置３０を用いて表示画面３１に順次表示させる。また、低速測色器１２０は、表示画面３１に表示される高輝度パッチを順次測色することで、高輝度パッチの測色結果を含む低速ベースデータ（以下では第２低速ベースデータと呼ぶ）の測定を行う（ステップ２５０）。
【００４５】
それから、コンピュータ装置２０は、ステップ２１０で得られた高速ベースデータのうち、低輝度パッチの測色結果である第２高速ベースデータおよび高輝度パッチの測色結果である第３高速ベースデータを除いた第１高速ベースデータと、ステップ２４０で得られた第１低速ベースデータと、ステップ２５０で得られた第２低速ベースデータとを合成した合成ベースデータを作成する（ステップ２６０）。
【００４６】
そして、コンピュータ装置２０は、ステップ２６０で得られた合成ベースデータに基づき、表示装置３０に対応させた色変換プロファイルの作成を行い（ステップ２７０）、一連の処理を完了する。
【００４７】
図１０は、本実施の形態における高速ベースデータＤＨと低速ベースデータＤＬと合成ベースデータＤＣとの関係を、模式的に示した図である。ここで、図中上段に示す高速ベースデータＤＨは図９に示すステップ２１０で、図中中段に示す低速ベースデータＤＬは図９に示すステップ２４０およびステップ２５０で、図中下段に示す合成ベースデータＤＣは図９に示すステップ２６０で、それぞれ得られる。
【００４８】
まず、高速ベースデータＤＨは、測色用画像を構成するすべてのパッチ画像Ｐの測色結果を含んで構成される。そして、高速ベースデータＤＨのうち、パッチ画像Ｐの輝度が下方側の閾値以上且つ上方側の閾値未満となったものが第１高速ベースデータＤＨ１となり、パッチ画像Ｐの輝度が下方側の閾値未満となったものが第２高速ベースデータＤＨ２となり、パッチ画像Ｐの輝度が上方側の閾値以上となったものが第３高速ベースデータＤＨ３となる。ここで、本実施の形態では、第１高速ベースデータＤＨ１に含まれる複数のパッチ画像Ｐが、第１画像を構成することになる。
【００４９】
また、低速ベースデータＤＬは、高速ベースデータＤＨのうち第２高速ベースデータＤＨ２と内容が同じパッチ画像Ｐ（低輝度パッチ）の測色結果を含んで構成される第１低速ベースデータＤＬ１と、高速ベースデータＤＨのうち第３高速ベースデータＤＨ３と内容が同じパッチ画像Ｐ（高輝度パッチ）の測色結果を含んで構成される第２低速ベースデータＤＬ２とを有している。したがって、低速ベースデータＤＬは、中輝度側のパッチ画像Ｐの測色結果を含んでいない。ここで、本実施の形態では、低速ベースデータＤＬに含まれる複数のパッチ画像Ｐが、第２画像を構成することになる。
【００５０】
そして、合成ベースデータＤＣは、高速ベースデータＤＨのうちパッチ画像Ｐの輝度が下方側の閾値以上且つ上方側の閾値未満となった第１高速ベースデータＤＨ１と、低速ベースデータＤＬ（第１低速ベースデータＤＬ１および第２低速ベースデータＤＬ２）とを含んで構成される。したがって、合成ベースデータＤＣは、測色用画像を構成するすべてのパッチ画像Ｐの測色結果を含んでいることになる。ここで、本実施の形態では、第１高速ベースデータＤＨ１が第１測色結果に、低速ベースデータＤＬ（第１低速ベースデータＤＬ１および第２低速ベースデータＤＬ２）が第２測色結果に、合成ベースデータＤＣが合成測色結果に、それぞれ対応することとなる。
【００５１】
以上説明したように、本実施の形態では、測定速度が相対的に高速な高速測色器１１０と、測定精度が相対的に高精度な低速測色器１２０とを用いて、表示装置３０に表示される測色用画像を測定するようにした。これにより、例えば高速測色器１１０のみを用いて測色を行う場合と比較して測定精度を向上させることが可能になるとともに、例えば低速測色器１２０のみを用いて測色を行う場合と比較して測色にかかる時間を低減することが可能になる。その結果、得られた合成ベースデータに基づいて作成される色変換プロファイルの精度の低下を抑制することができる。
【００５２】
また、本実施の形態では、最初に、高速測色器１１０を用いて測色用画像を測定した後、測色用画像のうち、輝度が低すぎることあるいは高すぎることにより精度が低下しそうなパッチ画像については、低速測色器１２０を用いて再測定を行うようにした。これにより、得られる合成ベースデータの精度を高めることが可能となり、結果として、得られる色変換プロファイルの精度を向上させることができるようになる。
【００５３】
＜実施の形態３＞
実施の形態１では、最初に、高速測色器１１０を用いて測色用画像を構成するすべてのパッチ画像の測色を行い、得られた高速ベースデータに基づいて、低速測色器１２０で測色（再測色）を行うパッチ画像（低輝度パッチ）を決定していた。これに対し、本実施の形態では、測色用画像の中で高速測色器１１０を用いて測色を行うパッチ画像と低速測色器１２０を用いて測色を行うパッチ画像とを振り分けてから、高速測色器１１０による測色および低速測色器１２０による測色を行うようにしたものである。なお、本実施の形態において、実施の形態１と同様のものについては、同じ符号を付してその詳細な説明を省略する。また、本実施の形態では、高速測色器１１０と低速測色器１２０とが、図３および図４に示す測定性能を有しているものとする。
【００５４】
図１１は、本実施の形態における色変換プロファイルの作成手順を説明するためのフローチャートである。ここで、本実施の形態においても、色変換プロファイルの作成を開始する前に、表示装置３０の表示画面３１に対し高速測色器１１０がセットされている。
【００５５】
まず、コンピュータ装置２０は、ＲＧＢ各色の階調値が最高階調値（Ｒ，Ｇ，Ｂ＝２５５，２５５，２５５）となるＷ（白色）画像（最高階調画像）と、ＲＧＢ各色の階調値が最低階調値（Ｒ，Ｇ，Ｂ＝０，０，０）となるＢｋ（黒色）画像（最低階調画像）とを、表示装置３０を用いて表示画面３１に順次表示させる。また、高速測色器１１０は、表示画面３１に表示されるＷ画像およびＢｋ画像を順次測色する（ステップ３１０）。
【００５６】
次に、コンピュータ装置２０は、ステップ３１０で得られたＷ画像およびＢｋ画像の測色結果から表示装置３０による表示特性の推定を行い、測色用画像を構成する複数のパッチ画像のうち、低輝度となりそうなパッチ画像（低輝度パッチ）を予測する（ステップ３２０）。ステップ３２０では、例えば表示装置の階調特性がｓＲＧＢなどの階調特性に近いγ＝２．２になっていると仮定し、中間階調画像の色の輝度値予測を実施する。
【００５７】
続いて、コンピュータ装置２０は、ステップ３２０で得た予測結果に基づき、測色用画像を構成する複数のパッチ画像から低輝度パッチを除いた残りのパッチ画像を、表示装置３０を用いて表示画面３１に順次表示させる。また、高速測色器１１０は、表示画面３１に表示されるパッチ画像を順次測色することで、低輝度パッチを除くパッチ画像の測色結果を含む高速ベースデータの測定を行う（ステップ３３０）。なお、ステップ３３０が完了した後、次に説明するステップ３４０が開始されるまでの間に、表示装置３０の表示画面３１に対し低速測色器１２０がセットされる。
【００５８】
次いで、コンピュータ装置２０は、ステップ３２０で得た予測結果に基づき、低輝度パッチを、表示装置３０を用いて表示画面３１に順次表示させる。また、低速測色器１２０は、表示画面３１に順次表示される低輝度パッチを順次測色することで、低輝度パッチの測色結果を含む低速ベースデータの測定を行う（ステップ３４０）。
【００５９】
それから、コンピュータ装置２０は、ステップ３３０で得られた高速ベースデータと、ステップ３４０で得られた低速ベースデータとを合成した合成ベースデータを作成する（ステップ３５０）。
【００６０】
そして、コンピュータ装置２０は、ステップ３５０で得られた合成ベースデータに基づき、表示装置３０に対応させた色変換プロファイルの作成を行い（ステップ３６０）、一連の処理を完了する。
【００６１】
図１２は、本実施の形態における高速ベースデータＤＨと低速ベースデータＤＬと合成ベースデータＤＣとの関係を、模式的に示した図である。ここで、図中上段に示す高速ベースデータＤＨは図１１に示すステップ３３０で、図中中段に示す低速ベースデータＤＬは図１１に示すステップ３４０で、図中下段に示す合成ベースデータＤＣは図１１に示すステップ３５０で、それぞれ得られる。
【００６２】
まず、高速ベースデータＤＨは、測色用画像を構成するすべてのパッチ画像Ｐのうち、低輝度パッチと予測されたもの以外についての測色結果を含んで構成される。したがって、高速ベースデータＤＨは、低輝度側のパッチ画像Ｐの測色結果を含んでいない。ここで、本実施の形態では、高速ベースデータＤＨに含まれる複数のパッチ画像Ｐが、第１画像を構成することになる。
【００６３】
また、低速ベースデータＤＬは、測色用画像を構成するすべてのパッチ画像Ｐのうち、低輝度パッチと予測されたものについての測色結果を含んでいる。したがって、低速ベースデータＤＬは、高輝度側のパッチ画像Ｐの測色結果を含んでいない。ここで、本実施の形態では、低速ベースデータＤＬに含まれる複数のパッチ画像Ｐが、第２画像を構成することになる。
【００６４】
そして、合成ベースデータＤＣは、高速ベースデータＤＨと低速ベースデータＤＬとを含んで構成される。したがって、合成ベースデータＤＣは、測色用画像を構成するすべてのパッチ画像Ｐの測色結果を含んでいることになる。ここで、本実施の形態では、高速ベースデータＤＨが第１測色結果に、低速ベースデータＤＬが第２測色結果に、合成ベースデータＤＣが合成測色結果に、それぞれ対応することとなる。
【００６５】
以上説明したように、本実施の形態では、測定速度が相対的に高速な高速測色器１１０と、測定精度が相対的に高精度な低速測色器１２０とを用いて、表示装置３０に表示される測色用画像を測定するようにした。これにより、例えば高速測色器１１０のみを用いて測色を行う場合と比較して測定精度を向上させることが可能になるとともに、例えば低速測色器１２０のみを用いて測色を行う場合と比較して測色にかかる時間を低減することが可能になる。その結果、得られた合成ベースデータに基づいて作成される色変換プロファイルの精度の低下を抑制することができる。
【００６６】
また、本実施の形態では、最初に、高階調画像の一例としての最高階調画像と低階調画像の一例としての最低階調画像とを、表示装置３０にて表示画面３１に表示させ、これら最高階調画像および最低階調画像を高速測色器１１０で測色した結果に基づき、測色用画像を構成する複数のパッチ画像Ｐから、低輝度となりそうなパッチ画像Ｐを予測するようにした。そして、この予測結果を用いて、高速測色器１１０で測色を行うパッチ画像と低速測色器１２０で測色を行うパッチ画像とを分別するようにした。これにより、同じパッチ画像Ｐを高速測色器１１０と低速測色器１２０とで測色する必要がなくなる分、測色用画像の測色にかかる時間を低減することが可能になる。
【００６７】
なお、本実施の形態では、ステップ３１０において、Ｗ画像とＢｋ画像とを表示画面３１に表示させるとともに高速測色器１１０で測色を行っていたが、これに加えて、ＲＧＢ各色の階調値が最高階調値と最低階調値との間に位置するＧｒａｙ（灰色）画像（中間調画像）の表示および測色を行わせるようにしてもかまわない。この場合には、表示装置３０の表示特性の推定における精度を、より高めることが可能になる。
【００６８】
＜実施の形態４＞
実施の形態３では、最初に、Ｗ画像およびＢｋ画像の測色を行い、これらＷ画像およびＢｋ画像の測色結果に基づいて、高速測色器１１０で測色を行うパッチ画像と低速測色器１２０で測色を行うパッチ画像との振り分けを行っていた。これに対し、本実施の形態では、高速測色器１１０および低速測色器１２０のＲＧＢ各色の階調特性を取得し、得られたＲＧＢ各色の階調特性に基づいて、高速測色器１１０で測色を行うパッチ画像と低速測色器１２０で測色を行うパッチ画像とを振り分けるようにしたものである。なお、本実施の形態において、実施の形態３と同様のものについては、同じ符号を付してその詳細な説明を省略する。
【００６９】
図１３は、本実施の形態における色変換プロファイルの作成手順を説明するためのフローチャートである。
【００７０】
まず、コンピュータ装置２０は、高速測色器１１０および低速測色器１２０のＲＧＢ各色の階調特性（入出力特性）を取得する（ステップ４１０）。なお、高速測色器１１０の階調特性および低速測色器１２０の階調特性は、実測値を取得するようにしてもよいし、例えばスペック値を取得するようにしてもかまわない。
【００７１】
次に、コンピュータ装置２０は、ステップ４１０で取得した高速測色器１１０および低速測色器１２０の各階調特性に基づき、ＲＧＢ各色の閾値を設定する（ステップ４２０）。なお、次のステップ４３０が開始されるまでの間に、表示装置３０の表示画面３１に対し高速測色器１１０がセットされる。
【００７２】
続いて、コンピュータ装置２０は、ステップ４２０で設定したＲＧＢ各色の閾値に基づき、測色用画像を構成する複数のパッチ画像のうちＲＧＢ各色の階調値が少なくとも１つは閾値以上となるパッチ画像を、表示装置３０を用いて表示画面３１に表示させる。また、高速測色器１１０は、表示画面３１に表示されるパッチ画像を順次測色することで、これらのパッチ画像の測色結果を含む高速ベースデータの測定を行う（ステップ４３０）。なお、ステップ４３０が完了した後、次に説明するステップ４４０が開始されるまでの間に、表示装置３０の表示画面３１に対し低速測色器１２０がセットされる。
【００７３】
次いで、コンピュータ装置２０は、ステップ４２０で設定したＲＧＢ各色の閾値に基づき、測色用画像を構成する複数のパッチ画像のうちＲＧＢ各色の階調値がすべて閾値未満となるパッチ画像を、表示装置３０を用いて表示画面３１に表示させる。また、低速測色器１２０は、表示画面３１に表示されるパッチ画像を順次測色するとともに、これらのパッチ画像の測色結果を含む低速ベースデータの測定を行う（ステップ４４０）。
【００７４】
それから、コンピュータ装置２０は、ステップ４３０で得られた高速ベースデータと、ステップ４４０で得られた低速ベースデータとを合成した合成ベースデータを作成する（ステップ４５０）。
【００７５】
そして、コンピュータ装置２０は、ステップ４５０で得られた合成ベースデータに基づき、表示装置３０に対応させた色変換プロファイルの作成を行い（ステップ４６０）、一連の処理を完了する。
【００７６】
図１４は、図１３に示すステップ４１０で取得される、高速測色器１１０および低速測色器１２０のＲＧＢ各色の階調特性の関係を説明するための図である。ここで、図１４（ａ）は赤（Ｒ）の入力階調値Ｒｉｎと出力階調値Ｒｏｕｔとの関係を、図１４（ｂ）は緑（Ｇ）の入力階調値Ｇｉｎと出力階調値Ｇｏｕｔとの関係を、図１４（ｃ）は青（Ｂ）の入力階調値Ｂｉｎと出力階調値Ｂｏｕｔとの関係を、それぞれ示している。なお、図１４（ａ）〜（ｃ）のそれぞれにおいては、高速測色器１１０の階調特性を破線で、低速測色器１２０の階調特性を実線で、それぞれ示している。
【００７７】
例えば図１４（ａ）に示したように、赤の入力階調値Ｒｉｎが赤閾値Ｒｔ以上となる領域については、高速測色器１１０と低速測色器１２０とで、同様の赤の出力階調値Ｒｏｕｔ結果を得ることができる。これに対し、赤の入力階調値Ｒｉｎが赤閾値Ｒｔ未満となる領域については、高速測色器１１０による赤の出力階調値Ｒｏｕｔの誤差が、低速測色器１２０に比べて大きくなっている。
【００７８】
また、例えば図１４（ｂ）に示したように、緑の入力階調値Ｇｉｎが緑閾値Ｇｔ以上となる領域については、高速測色器１１０と低速測色器１２０とで、同様の緑の出力階調値Ｇｏｕｔを得ることができる。これに対し、緑の入力階調値Ｇｉｎが緑閾値Ｇｔ未満となる領域については、高速測色器１１０による緑の出力階調値Ｇｏｕｔの誤差が、低速測色器１２０に比べて大きくなっている。
【００７９】
さらに、例えば図１４（ｃ）に示したように、青の入力階調値Ｂｉｎが青閾値Ｂｔ以上となる領域については、高速測色器１１０と低速測色器１２０とで、同様の青の出力階調値Ｂｏｕｔを得ることができる。これに対し、青の入力階調値Ｂｉｎが青閾値Ｂｔ未満となる領域については、高速測色器１１０による青の出力階調値Ｂｏｕｔの誤差が、低速測色器１２０に比べて大きくなっている。
【００８０】
ここで、本実施の形態では、図１４（ａ）〜（ｃ）にも示したように、赤閾値Ｒｔの階調値と緑閾値Ｇｔの階調値と青閾値Ｂｔの階調値とが、同じ値とはならないことがある。すなわち、高速測色器１１０と低速測色器１２０とは、ＲＧＢの色によって階調特性が異なっていることになる。
【００８１】
図１５は、本実施の形態における閾値（赤閾値Ｒｔ、緑閾値Ｇｔおよび青閾値Ｂｔ）の概念を説明するための図である。図１５は、赤の入力階調値Ｒｉｎ、緑の入力階調値Ｇｉｎおよび青の入力階調値Ｂｉｎをそれぞれ軸とする、３次元の直交座標系を示すものとなっている。
【００８２】
本実施の形態では、赤の入力階調値Ｒｉｎが赤閾値Ｒｔ以上となるパッチ画像、緑の入力階調値Ｇｉｎが緑閾値Ｇｔ以上となるパッチ画像、または、青の入力階調値Ｂｉｎが青閾値Ｂｔ以上となるパッチ画像については、高速測色器１１０を用いた高速ベースデータの測定を行うことになる。一方、赤の入力階調値Ｒｉｎが赤閾値Ｒｔ未満となり、緑の入力階調値Ｇｉｎが緑閾値Ｇｔ未満となり、さらに、青の入力階調値Ｂｉｎが青閾値Ｂｔ未満となるパッチ画像（図１５において、原点０と赤閾値Ｒｔと緑閾値Ｇｔと青閾値Ｂｔとによって囲まれた領域の内部に位置するパッチ画像）については、低速測色器１２０を用いた低速ベースデータの測定を行うことになる。
【００８３】
図１６は、本実施の形態における高速ベースデータＤＨと低速ベースデータＤＬと合成ベースデータＤＣとの関係を、模式的に示した図である。ここで、図中上段に示す高速ベースデータＤＨは図１３に示すステップ４３０で、図中中段に示す低速ベースデータＤＬは図１３に示すステップ４４０で、図中下段に示す合成ベースデータＤＣは図１３に示すステップ４５０で、それぞれ得られる。
【００８４】
まず、高速ベースデータＤＨは、測色用画像を構成するすべてのパッチ画像Ｐのうち、ＲＧＢ各色の入力階調値がそれぞれの閾値未満となるもの以外についての測色結果を含んで構成される。ここで、本実施の形態では、高速ベースデータＤＨに含まれる複数のパッチ画像Ｐが、第１画像を構成することになる。
【００８５】
また、低速ベースデータＤＬは、測色用画像を構成するすべてのパッチ画像Ｐのうち、ＲＧＢ各色の入力階調値がそれぞれの閾値未満となるものについての測色結果を含んで構成される。ここで、本実施の形態では、低速ベースデータＤＬに含まれる複数のパッチ画像Ｐが、第２画像を構成することになる。
【００８６】
そして、合成ベースデータＤＣは、高速ベースデータＤＨと低速ベースデータＤＬとを含んで構成される。したがって、合成ベースデータＤＣは、測色用画像を構成するすべてのパッチ画像Ｐの測色結果を含んでいることになる。ここで、本実施の形態では、高速ベースデータＤＨが第１測色結果に、低速ベースデータＤＬが第２測色結果に、合成ベースデータＤＣが合成測色結果に、それぞれ対応することとなる。
【００８７】
以上説明したように、本実施の形態では、測定速度が相対的に高速な高速測色器１１０と、測定精度が相対的に高精度な低速測色器１２０とを用いて、表示装置３０に表示される測色用画像を測定するようにした。これにより、例えば高速測色器１１０のみを用いて測色を行う場合と比較して測定精度を向上させることが可能になるとともに、例えば低速測色器１２０のみを用いて測色を行う場合と比較して測色にかかる時間を低減することが可能になる。その結果、得られた合成ベースデータに基づいて作成される色変換プロファイルの精度の低下を抑制することができる。
【００８８】
また、本実施の形態では、最初に、高速測色器１１０および低速測色器１２０のそれぞれの階調特性を取得し、得られたそれぞれの階調特性に基づき、測色用画像を構成する複数のパッチ画像Ｐから、高速測色器１１０でも誤差が小さくなりそうなパッチ画像Ｐについては高速測色器１１０で測色を行うようにし、高速測色器１１０では誤差が大きくなりそうなパッチ画像Ｐについては低速測色器１２０で測色を行うようにした。これにより、得られる合成ベースデータの精度を高めることが可能となり、結果として、得られる色変換プロファイルの精度を向上させることができるようになる。
【００８９】
＜実施の形態５＞
実施の形態４では、高速測色器１１０および低速測色器１２０のＲＧＢ各色の階調特性を取得し、得られたＲＧＢ各色の階調特性に基づいて、高速測色器１１０で測色を行うパッチ画像と低速測色器１２０で測色を行うパッチ画像とを振り分けるようにしていた。これに対し、本実施の形態では、高速測色器１１０および低速測色器１２０のＬ＊ａ＊ｂ＊特性を取得し、得られたＬ＊ａ＊ｂ＊特性に基づいて、高速測色器１１０で測色を行うパッチ画像と低速測色器１２０で測色を行うパッチ画像とを振り分けるようにしたものである。なお、本実施の形態において、実施の形態４と同様のものについては、同じ符号を付してその詳細な説明を省略する。また、本実施の形態では、高速測色器１１０と低速測色器１２０とが、図３および図４に示す測定方式および測定性能を有しているものとする。
【００９０】
図１７は、本実施の形態における色変換プロファイルの作成手順を説明するためのフローチャートである。
【００９１】
まず、コンピュータ装置２０は、高速測色器１１０および低速測色器１２０のＬ＊ａ＊ｂ＊特性を取得する（ステップ５１０）。なお、高速測色器１１０の階調特性および低速測色器１２０のＬ＊ａ＊ｂ＊特性は、実測値を取得するようにしてもよいし、例えばスペック値を取得するようにしてもかまわない。
【００９２】
次に、コンピュータ装置２０は、ステップ５１０で取得した高速測色器１１０および低速測色器１２０のＬ＊ａ＊ｂ＊特性に基づき、ａ＊値における閾値を設定する（ステップ５２０）。ここで、ａ＊値における閾値は、高速測色器１１０と低速測色器１２０との特性の差異に基づいて決まる。なお、次のステップ５３０が開始されるまでの間に、表示装置３０の表示画面３１に対し高速測色器１１０がセットされる。
【００９３】
続いて、コンピュータ装置２０は、ステップ５２０で設定した閾値に基づき、測色用画像を構成する複数のパッチ画像のうちの一部のパッチ画像を、表示装置３０を用いて表示画面３１に表示させる。また、高速測色器１１０は、表示画面３１に表示されるパッチ画像を順次測色することで、これらのパッチ画像の測色結果を含む高速ベースデータの測定を行う（ステップ５３０）。なお、ステップ５３０が完了した後、次に説明するステップ５４０が開始されるまでの間に、表示装置３０の表示画面３１に対し低速測色器１２０がセットされる。
【００９４】
次いで、コンピュータ装置２０は、ステップ５２０で設定した閾値に基づき、測色用画像を構成する複数のパッチ画像のうちの残りのパッチ画像を、表示装置３０を用いて表示画面３１に表示させる。また、低速測色器１２０は、表示画面３１に表示されるパッチ画像を順次測色することで、これらのパッチ画像の測色結果を含む低速ベースデータの測定を行う（ステップ５４０）。
【００９５】
それから、コンピュータ装置２０は、ステップ５３０で得られた高速ベースデータと、ステップ５４０で得られた低速ベースデータとを合成した合成ベースデータを作成する（ステップ５５０）。
【００９６】
そして、コンピュータ装置２０は、ステップ５５０で得られた合成ベースデータに基づき、表示装置３０に対応させた色変換プロファイルの作成を行い（ステップ５６０）、一連の処理を完了する。
【００９７】
図１８は、図１７に示すステップ５１０で取得される、高速測色器１１０および低速測色器１２０のＬ＊ａ＊ｂ＊特性の関係を説明するための図である。図１８において、横軸はａ＊値であり、縦軸はｂ＊値である。なお、図１８では、高速測色器１１０による結果を破線で、低速測色器１２０による結果を実線で、それぞれ示している。
【００９８】
この例では、ａ＊値がα以上且つβ未満となる範囲およびγ以上且つδ以下となる範囲において、高速測色器１１０と低速測色器１２０とで同様の結果を得ることができる。これに対し、ａ＊値がα未満となる範囲およびβ以上且つγ未満となる範囲では、高速測色器１１０による誤差が、低速測色器１２０に比べて大きくなっている。なお、以下の説明では、これらα、β、γおよびδを、第１閾値α、第２閾値β、第３閾値γおよび第４閾値δと呼ぶ。
【００９９】
図１９は、本実施の形態における高速ベースデータＤＨと低速ベースデータＤＬと合成ベースデータＤＣとの関係を、模式的に示した図である。ここで、図中上段に示す高速ベースデータＤＨは図１７に示すステップ５３０で、図中中段に示す低速ベースデータは図１７に示すステップ５４０で、図中下段に示す合成ベースデータＤＣは図１７に示すステップ５５０で、それぞれ得られる。
【０１００】
まず、高速ベースデータＤＨは、測色用画像を構成するすべてのパッチ画像Ｐのうち、ａ＊値が第１閾値α以上且つ第２閾値β未満および第３閾値γ以上且つ第４閾値δ以下となるものについての測色結果を含んで構成される。そして、高速ベースデータＤＨのうち、ａ＊値が第１閾値α以上且つ第２閾値β未満となる範囲に基づいて得られたものが第１高速ベースデータＤＨ１となり、ａ＊値が第３閾値γ以上且つ第４閾値δ以下となる範囲に基づいて得られたものが第２高速ベースデータＤＨ２となる。ここで、本実施の形態では、高速ベースデータＤＨに含まれる複数のパッチ画像Ｐが、第１画像を構成することになる。
【０１０１】
また、低速ベースデータＤＬは、測色用画像を構成するすべてのパッチ画像Ｐのうち、ａ＊値が０以上且つ第１閾値α未満および第２閾値β以上且つ第３閾値γ未満となるものについての測色結果を含んで構成される。そして、低速ベースデータＤＬのうち、ａ＊値が０以上且つ第１閾値α未満となる範囲に基づいて得られたものが第１低速ベースデータＤＬ１となり、ａ＊値が第２閾値β以上且つ第３閾値γ未満となる範囲に基づいて得られたものが第２低速ベースデータＤＬ２となる。ここで、本実施の形態では、低速ベースデータＤＬに含まれる複数のパッチ画像Ｐが、第２画像を構成することになる。
【０１０２】
そして、合成ベースデータＤＣは、高速ベースデータＤＨ（第１高速ベースデータＤＨ１および第２高速ベースデータＤＨ２）と、低速ベースデータＤＬ（第１低速ベースデータＤＬ１および第２低速ベースデータＤＬ２）とを含んで構成される。したがって、合成ベースデータＤＣは、測色用画像を構成するすべてのパッチ画像Ｐの測色結果を含んでいることになる。ここで、本実施の形態では、高速ベースデータＤＨが第１測色結果に、低速ベースデータＤＬが第２測色結果に、合成ベースデータＤＣが合成測色結果に、それぞれ対応することとなる。
【０１０３】
以上説明したように、本実施の形態では、測定速度が相対的に高速な高速測色器１１０と、測定精度が相対的に高精度な低速測色器１２０とを用いて、表示装置３０に表示される測色用画像を測定するようにした。これにより、例えば高速測色器１１０のみを用いて測色を行う場合と比較して測定精度を向上させることが可能になるとともに、例えば低速測色器１２０のみを用いて測色を行う場合と比較して測色にかかる時間を低減することが可能になる。その結果、得られた合成ベースデータに基づいて作成される色変換プロファイルの精度の低下を抑制することができる。
【０１０４】
また、本実施の形態では、最初に、高速測色器１１０および低速測色器１２０のそれぞれのＬ＊ａ＊ｂ＊特性を取得し、得られたそれぞれのＬ＊ａ＊ｂ＊に基づき、測色用画像を構成する複数のパッチ画像Ｐから、高速測色器１１０でも誤差が小さくなりそうなパッチ画像Ｐについては高速測色器１１０で測色を行うようにし、高速測色器１１０では誤差が大きくなりそうなパッチ画像Ｐについては低速測色器１２０で測色を行うようにした。これにより、得られる合成ベースデータの精度を高めることが可能となり、結果として、得られる色変換プロファイルの精度を向上させることができるようになる。
【符号の説明】
【０１０５】
１０…画像表示システム、２０…コンピュータ装置、３０…表示装置、３１…表示画面、４０…入力装置、１００…測色器、１１０…高速測色器、１２０…低速測色器、ＤＨ…高速ベースデータ、ＤＨ１…第１高速ベースデータ、ＤＨ２…第２高速ベースデータ、ＤＨ３…第３高速ベースデータ、ＤＬ…低速ベースデータ、第１低速ベースデータ、ＤＬ２…第２低速ベースデータ、ＤＣ…合成ベースデータ
【図１】
2015088847.tif 000003
【図２】
2015088847.tif 000004
【図３】
2015088847.tif 000005
【図４】
2015088847.tif 000006
【図５】
2015088847.tif 000007
【図６】
2015088847.tif 000008
【図７】
2015088847.tif 000009
【図８】
2015088847.tif 000010
【図９】
2015088847.tif 000011
【図１０】
2015088847.tif 000012
【図１１】
2015088847.tif 000013
【図１２】
2015088847.tif 000014
【図１３】
2015088847.tif 000015
【図１４】
2015088847.tif 000016
【図１５】
2015088847.tif 000017
【図１６】
2015088847.tif 000018
【図１７】
2015088847.tif 000019
【図１８】
2015088847.tif 000020
【図１９】
2015088847.tif 000021